(57)【要約】    【課題】  情報コード読取装置の性能劣化による作業効率の低下を防ぐことができる情報コード読取装置管理システムを提供する。    【解決手段】  情報コード読取装置１０は、クレードル７０に載置されると、検査装置８０を使って、検査用バーコード８５と検査用ＲＦＩＤタグ８７との読み取り検査を行い、この結果を端末管理装置６０側へ送信する。そして、性能劣化等により読み取りが適正に行えない場合には、端末管理装置６０は、当該読み取りが行えない情報コード読取装置１０のユーザ設定情報を予備の情報コード読取装置１０Ｂへ転送し、該予備の情報コード読取装置１０Ｂにおいてユーザ設定情報に基づく操作（割り付けられたキー操作等）が可能にしておく。【選択図】  図２
2010015353.tif 000002
【特許請求の範囲】
【請求項１】
端末管理装置と通信する通信手段と、光学情報の読み取り可能な読取手段とを備えた情報コード読取装置と、
前記情報コード読取装置が載置された状態で給電して該情報コード読取装置を充電するクレードルと、
情報コード読取装置と通信する通信手段を備え、情報コード読取装置を複数台管理する端末管理装置と、によって構成された情報コード読取装置管理システムであって、
前記クレードルは、前記情報コード読取装置が載置された状態で読み取り可能な検査用光学情報媒体を備え、
前記情報コード読取装置は、前記クレードルに載置された状態において、前記クレードルの検査用光学情報媒体から情報を読み取り、読み取った結果を通信手段を介して前記端末管理装置へ送信し、前記端末管理装置からユーザ設定情報の転送指令が送られるとユーザ設定情報を通信手段を介して前記端末管理装置へ送信し、
前記端末管理装置は、前記情報コード読取装置から送信された読み取り結果から該情報コード読取装置が不良であると判断した場合に、当該情報コード読取装置へユーザ設定情報の転送指令を送信し、該情報コード読取装置から送られたユーザ設定情報を他の情報コード読取装置へ転送し、該他の情報コード読取装置をユーザ設定情報に基づく操作が可能な状態にしておくことを特徴とする情報コード読取装置管理システム。
【請求項２】
前記情報コード読取装置は、無線情報媒体の情報を無線で読み取り可能な無線読取手段を備え、
前記クレードルは、前記情報コード読取装置が載置された状態で無線で読み取り可能な検査用無線情報媒体を備え、
前記情報コード読取装置は、前記クレードルに載置された状態において、前記クレードルの検査用無線情報媒体から情報を読み取り、読み取った結果を通信手段を介して前記端末管理装置へ送信し、
前記端末管理装置は、前記情報コード読取装置から送信された読み取り結果から該情報コード読取装置が不良であると判断した場合に、当該情報コード読取装置へユーザ設定情報の転送指令を送信し、該情報コード読取装置から送られたユーザ設定情報を他の情報コード読取装置へ転送し、該他の情報コード読取装置をユーザ設定情報に基づく操作が可能な状態にしておくことを特徴とする請求項１の情報コード読取装置管理システム。
【請求項３】
前記クレードルの検査用光学情報媒体は、光学情報上に該光学情報の読み取り画像に歪みを生じさせる光学的フィルタを配置して成ることを特徴とする請求項１の情報コード読取装置管理システム。
【請求項４】
前記クレードルの検査用無線情報媒体は、無線情報媒体と、該無線情報媒体と情報コード読取装置との間の電波を減衰させる電磁的フィルタとを配置して成ることを特徴とする請求項２のの情報コード読取装置管理システム。
【請求項５】
前記端末管理装置は、情報コード読取装置が不良である場合に、不良の情報コード読取装置を報知する報知手段を備えることを特徴とする請求項１〜請求項４のいずれか１の情報コード読取装置管理システム。
【請求項６】
前記端末管理装置は、情報コード読取装置が不良である場合に、代替の情報コード読取装置を報知する報知手段を備えることを特徴とする請求項１〜請求項４のいずれか１の情報コード読取装置管理システム。
【請求項７】
前記情報コード読取装置は、不良である場合に、不良であることを報知する報知手段を備えることを特徴とする請求項１〜請求項４のいずれか１の情報コード読取装置管理システム。
【請求項８】
前記情報コード読取装置は、不良である場合に、代替の情報コード読取装置を報知する報知手段を備えることを特徴とする請求項１〜請求項４のいずれか１の情報コード読取装置管理システム。
【発明の詳細な説明】
【技術分野】
【０００１】
本発明は、複数台の情報コード読取装置を端末管理装置により管理する情報コード読取装置管理システムに関するものである。
【背景技術】
【０００２】
数十台以上の情報コード読取装置が用いられる際には、該情報コード読取装置の管理用の端末管理装置を用意し、各情報コード読取装置と端末管理装置とを無線で結び、該端末管理装置により複数台の情報コード読取装置を集中管理する手法が取られている。
【０００３】
バーコードリーダ等の光学情報コード読取装置は、照明光源からの照明光を読取対象に照射し、その反射光を受光装置により受光して読取を行う構成が一般的である。このような光学情報コード読取装置では、照明光源の出力や、受光信号を増幅するゲインなどを、読取を良好に行い得る程度に設定する必要がある。このため、光学情報コード読取装置は、製造ラインの最終工程において、読取検査が行われている。特許文献１は、バーコードスキャナー内蔵ハンディターミナルの製造過程でバーコードの読み取り検査を行うための検査装置を開示している。該検査装置は、検査装置本体と、バーコードを貼り付け読取条件を設定したバーコード台と、スライド部とから成り、さらに、検査プログラムをハンディターミナルへコンピュータから転送している。
【特許文献１】特開平９−６２７６５号公報
【発明の開示】
【発明が解決しようとする課題】
【０００４】
しかしながら、光学情報コード読取装置を長期に渡り使用していると、照明光源の輝度低下、受光装置の感度低下、光学系の焦点のズレ、更に、読取口を覆うカバーの傷、汚れによって、光学情報を読み取り難い状態まで性能劣化する。同様に、電子タグへの読み取り書き込みを行うＲＦリーダ等の無線情報コード読取装置においても、経年により無線出力が低下したり、受信感度が低下する。性能の下がった光学情報コード読取装置、無線情報コード読取装置を使い続けることで、読み取りが行い難くなり、情報コードの読み取りを繰り返しすことが必要になるため、作業の効率が低下していた。また、性能の劣化、或いは、故障した光学情報コード読取装置、無線情報コード読取装置に代わり、代替機を使用する際にも、一般的に、光学情報コード読取装置、無線情報コード読取装置には個々使用者によりキー割付等の設定が成されているため、代替機を使用可能にするためには、設定情報の転送作業が必要となり、その間に読み取り作業が中断することになる。
【０００５】
特許文献１のバーコードスキャナー内蔵ハンディターミナルの検査装置は、製造過程でバーコードの読み取り検査を行うための装置であり、製品出荷後、ユーザが使用を開始してから実施する日常的な機能検査、保守管理へ転用することは困難である。
【０００６】
本発明は、上述した課題を解決するためになされたものであり、その目的とするところは、情報コード読取装置の性能劣化による作業効率の低下を防ぐことができる情報コード読取装置管理システムを提供することにある。
【課題を解決するための手段】
【０００７】
上記目的を達成するため、請求項１の発明は、端末管理装置と通信する通信手段４８と、光学情報の読み取り可能な読取手段４０とを備えた情報コード読取装置１０と、
前記情報コード読取装置１０が載置された状態で給電して該情報コード読取装置を充電するクレードル７０と、
情報コード読取装置１０と通信する通信手段６９を備え、情報コード読取装置を複数台管理する端末管理装置６０と、によって構成された情報コード読取装置管理システムであって、
前記クレードル７０は、前記情報コード読取装置が載置された状態で読み取り可能な検査用光学情報媒体８５を備え、
前記情報コード読取装置１０は、前記クレードル７０に載置された状態において、前記クレードルの検査用光学情報媒体８５から情報を読み取り、読み取った結果を通信手段４８を介して前記端末管理装置６０へ送信し、前記端末管理装置６０からユーザ設定情報の転送指示が送られると（Ｓ２４：Ｙｅｓ）ユーザ設定情報を通信手段４８を介して前記端末管理装置６０へ送信し（Ｓ３２）、
前記端末管理装置６０は、前記情報コード読取装置１０から送信された読み取り結果から該情報コード読取装置が不良であると判断した場合に（Ｓ４８：Ｎｏ）、当該情報コード読取装置へユーザ設定情報の転送指示を送信し（Ｓ５０）、該情報コード読取装置から送られたユーザ設定情報を他の情報コード読取装置へ転送し（Ｓ５６）、該他の情報コード読取装置をユーザ設定情報に基づく操作が可能な状態にしておくことを技術的特徴とする。
【発明の効果】
【０００８】
請求項１の情報コード読取装置管理システムで、情報コード読取装置は、クレードルに載置された状態において、クレードルの検査用光学情報媒体から情報を読み取り、読み取った結果を端末管理装置へ送信する。端末管理装置は、情報コード読取装置から送信された読み取り結果から該情報コード読取装置が不良であると判断した場合に、当該情報コード読取装置へユーザ設定情報の転送指示を送信する。情報コード読取装置は、転送指示が送られるとユーザ設定情報を端末管理装置へ送信する。端末管理装置は、該情報コード読取装置から送られたユーザ設定情報を他の情報コード読取装置へ転送し、該他の情報コード読取装置をユーザ設定情報に基づく操作が可能な状態にしておく。このため、何れかの情報コード読取装置に不良が発生した際にも、他の情報コード読取装置が、ユーザ設定情報に基づく操作が可能な状態になっているので、情報コード読取装置の性能劣化による作業効率の低下、障害発生時に情報コード読取装置の交換による作業中断を防ぐことができる。
【０００９】
請求項２の情報コード読取装置管理システムで、情報コード読取装置は、クレードルに載置された状態において、クレードルの検査用無線情報媒体から情報を読み取り、読み取った結果を端末管理装置へ送信する。端末管理装置は、情報コード読取装置から送信された読み取り結果から該情報コード読取装置が不良であると判断した場合に、当該情報コード読取装置へユーザ設定情報の転送指示を送信する。情報コード読取装置は、転送指示が送られるとユーザ設定情報を端末管理装置へ送信する。端末管理装置は、該情報コード読取装置から送られたユーザ設定情報を他の情報コード読取装置へ転送し、該他の情報コード読取装置をユーザ設定情報に基づく操作が可能な状態にしておく。このため、何れかの情報コード読取装置に不良が発生した際にも、他の情報コード読取装置が、ユーザ設定情報に基づく操作が可能な状態になっているので、情報コード読取装置の性能劣化による作業効率の低下、障害発生時に情報コード読取装置の交換による作業中断を防ぐことができる。
【００１０】
請求項３の情報コード読取装置管理システムで、クレードルの検査用光学情報媒体は、光学情報上に該光学情報の読み取り画像に歪みを生じさせる光学的フィルタを配置して成る。このため、情報コード読取装置の読取手段の構成する光学系の輝度低下（受光素子の感度低下、照明の輝度低下等）、光学系の焦点ずれ等により、読取が不能に成る前の読取困難になった時点で、情報コード読取装置を不良と判断することができ、情報コード読取装置の性能劣化による作業効率の低下を防ぐことができる。
【００１１】
請求項４の情報コード読取装置管理システムで、クレードルの検査用無線情報媒体は、無線情報媒体と、該無線情報媒体と情報コード読取装置との間に配置され、電波を減衰させる電磁的フィルタとを配置して成る。このため、情報コード読取装置の無線読取手段の構成する送信機の送信出力低下、受信機の受信感度低下等により、読取が不能に成る前の読取困難になった時点で、情報コード読取装置を不良と判断することができ、情報コード読取装置の性能劣化による作業効率の低下を防ぐことができる。
【００１２】
請求項５の情報コード読取装置管理システムで、端末管理装置は、情報コード読取装置が不良である場合に、不良の情報コード読取装置を報知する。このため、使用者は情報コード読取装置の使用を開始する以前に、情報コード読取装置の不良を知ることができる。
【００１３】
請求項６の情報コード読取装置管理システムで、端末管理装置は、情報コード読取装置が不良である場合に、代替の情報コード読取装置を報知する。このため、使用者は情報コード読取装置の使用を開始する以前に、情報コード読取装置の代替機を知ることができる。
【００１４】
請求項７の情報コード読取装置管理システムで、情報コード読取装置は、不良である場合に、不良であることを報知する。このため、使用者は情報コード読取装置の使用を開始する以前に、情報コード読取装置の不良を知ることができる。
【００１５】
請求項８の情報コード読取装置管理システムで、情報コード読取装置は、不良である場合に、代替の情報コード読取装置を報知する。このため、使用者は情報コード読取装置の使用を開始する以前に、情報コード読取装置の代替機を知ることができる。
【発明を実施するための最良の形態】
【００１６】
[第１実施形態]
以下、本発明の第１実施形態に係る情報コード読取装置管理システムにいつて図を参照して説明する。
図１は、第１実施形態の情報コード読取装置管理システムの構成図である。
当該情報コード読取装置管理システムでは、複数台（数十以上）の情報コード読取装置１０を本願発明の端末管理装置６０にて集中管理する。各情報コード読取装置１０は、端末管理装置６０との通信用の通信部をそれぞれ備える。端末管理装置６０は、管理装置本体６２と、情報コード読取装置との通信用の通信端末（通信手段）６９と、モニタ６１とを備えてなる。管理装置本体６２は、ＣＰＵ６６，メモリ６８、記憶媒体６４を有するコンピュータから成る。該端末管理装置６０側には、情報コード読取装置の故障交換に対応するため予備用の情報コード読取装置１０Ｂが置かれている。情報コード読取装置１０はクレードル７０に載置され、充電される。
【００１７】
図２は、情報コード読取装置１０をクレードル７０に載置した状態を示す説明図である。クレードル７０は、情報コード読取装置１０の読取口１８の設けられた先端部１２ｆを支持する第１支持部７６と、情報コード読取装置１０の後端部１２ｂを支持する第２支持部７４とを備え、情報コード読取装置１０の非使用時（アイドル時）の置き台である。そして、置かれた状態で、情報コード読取装置の二次電池４９への充電を充電器７２により行う。さらに、非使用時に、情報コード読取装置１０の検査を行うための検査装置８０を備える。
【００１８】
図３（Ａ）は、図２中の検査装置を示す説明図である。検査装置８０には、情報コード読取装置１０によるバーコードの読み取りを検査するための検査用バーコード８５及び情報コード読取装置１０で撮像されるバーコード画像に歪みを生じさせる光学的フィルタ（例えば、磨りガラス、レンチキュラーレンズ（トタン板状レンズ）等）８４を備える。図３（Ａ）に示す検査用バーコード８５は、図３（Ｂ）のａ−ａ断面に相当する。即ち、検査用バーコード８５は、図２中で、紙面に直交する方向（情報コード読取装置の矩形型読取口の長手方向に沿うよう）に配置されている。検査用バーコード８５の下側には、検査用ＲＦＩＤタグ８７が置かれ、該検査用ＲＦＩＤタグ８７上には、検査用ＲＦＩＤタグ８７と情報コード読取装置１０とで用いられる周波数の電波を減衰させる電磁的フィルタ８６が設けられている。電磁的フィルタ８６は、検査用ＲＦＩＤタグ８７と情報コード読取装置１０の開口内に設けられた後述する通信用アンテナとの間に配置されることになる。光学的フィルタ８４、検査用バーコード８５、電磁的フィルタ８６及び検査用ＲＦＩＤタグ８７は、保持部材８２により保持されている。なお、第１実施形態では、バーコード画像に歪みを生じさせる光学的フィルタを用いたが、画像の歪みでは無く、単に光を減衰させるフィルタ（例えば、色ガラス）を用いることも、また、フィルタを用いず、バーコード自体を読み取り難いもの（例えば、バーが薄く印刷されたバーコード）等を用いることも可能である。但し、一次元コードとしてバーコード、二次元コードとして例えばＱＲコードを用いる場合には、情報コード読取装置管理システムで用いられている種類のバーコード、ＱＲコードを用いることが、良否判断を適切に行う上で好適である。
【００１９】
情報コード読取装置１０の構成について説明する。
図２に示すように情報コード読取装置１０は握り部を兼用する操作部１２、液晶表示器４６などを備えている。操作部１２には、例えば複数のキースイッチ４１が設けられ、これらキースイッチ４１により、動作内容を指示するようになっている。この操作部１２には、キースイッチ４１に加えて、読み取り開始を指示するためのトリガースイッチ４２が設けられている。情報コード読取装置１０の筐体５９の前端に形成された略矩形の開口部（読取口）１８には光学系ユニット３０及びアンテナ５６（図４参照）が配置されている。
【００２０】
情報コード読取装置１０の回路構成を図４のブロック図を参照して説明する。
情報コード読取装置は、バーコード、ＱＲコード等の光学情報の読み取りと、ＲＦＩＤタグ、非接触ＩＣカード等の無線情報媒体の情報を無線で読み取り書き込みが可能なように構成されている。情報コード読取装置１０には、回路部２０が設けられている。回路部２０は、主に、発光ダイオード２１、集光レンズ２４、受光センサ２３、結像レンズ２７等の光学系と、アンテナ５６、送信回路５４、受信回路５２からなる無線系と、メモリ３５、制御回路４０、キースイッチ４１、トリガースイッチ４２、液晶表示器４６等のマイクロコンピュータ（以下「マイコン」という）系と、クレードル７０から供給された電力を保持する二次電池４９と、から構成されている。
【００２１】
まず、光学系から説明する。発光ダイオード２１は、照明光Ｌｆを照射可能な光照射器として機能するもので、拡散レンズと凸レンズとを組み合わせた集光レンズ２４により集光させる。受光センサ２３は、読取対象物ＲやバーコードＢに照射されて反射した反射光Ｌｒを結像レンズ２７を介して受光可能に構成されるイメージセンサから成る。結像レンズ２７は、外部から入射する入射光を集光して受光センサ２３の受光面２３ａに像を結像可能な結像光学系として機能する。
【００２２】
次に、マイコン系の構成概要を説明する。マイコン系は、増幅回路３１、Ａ／Ｄ変換回路３３、メモリ３５、アドレス発生回路３６、同期信号発生回路３８、制御回路４０、キースイッチ４１、トリガースイッチ４２、ＬＥＤ４３、ブザー４４、液晶表示器４６、通信部４８等から構成されている。このマイコン系は、その名の通り、マイコン（情報処理装置）として機能し得る制御回路４０およびメモリ３５を中心に構成されるもので、前述した光学系によって撮像された画像信号をハードウェア的およびソフトウェア的に信号処理し得るものである。また制御回路４０は、当該情報コード読取装置１０の全体システムに関する制御も行っている。
【００２３】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データは、メモリ３５に入力されて蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２４】
制御回路４０は、情報コード読取装置１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、キースイッチ４１、トリガースイッチ４２、ＬＥＤ４３、ブザー４４、液晶表示器４６、通信部４８等が接続されている。制御回路４０は、二次元コードを読み取った結果を、通信部４８を介して図１を参照して上述した端末管理装置６０側へ出力するよう構成されている。
【００２５】
アンテナ５６、送信回路５４、受信回路５２からなる無線系５０は、例えば商品などの物品に付されているＲＦＩＤタグとの間で電磁波（例えば、マイクロ波やＵＨＦ帯の周波数の電波）による通信を行って電力の供給及びデータの読み取りを行うためのものである。ここでは、データの読み取りだけでなく、ＲＦＩＤタグに対するデータの書き込みも行う。
【００２６】
無線系５０を構成する送信回路５４、受信回路５２は、制御回路４０により制御される。制御回路４０は、送信回路５４を介してアンテナ５６に電力信号を出力するとともに、アンテナ５６が受け取った受信信号を、受信回路５２を介して復調してデータとして抽出する。これにより、アンテナ５６を読み取るべきＲＦＩＤタグに近づけた状態で、該ＲＦＩＤタグに対して、電波により電力供給が行われると共に、データの通信（書き込み及び読み取り）が行われるようになっている。
【００２７】
なお、周知なように、ＲＦＩＤタグは、無線系５０の給電用信号から動作電源を得るための整流・平滑回路、通信等の制御を行うＣＰＵ、送受信信号の変調・復調を行う変復調回路、動作プログラム等を記憶するＲＯＭ、データを記憶する読書き可能なＥＥＰＲＯＭ等をワンチップＩＣ化して構成されている。
【００２８】
第１実施形態の情報コード読取装置１０は、クレードル７０に載置されアイドル状態になると、クレードル７０の検査装置８０を使って、検査用バーコード８５と検査用ＲＦＩＤタグ８７との読み取り検査を行い、この結果を端末管理装置６０側へ送信する。そして、性能劣化等により読み取りが適正に行えない場合には、端末管理装置６０は、当該読み取りが行えない情報コード読取装置１０のユーザ設定情報を予備（他）の情報コード読取装置１０Ｂへ転送し、該予備の情報コード読取装置１０Ｂをユーザ設定情報に基づく操作（割り付けられたキー操作等）が可能なようにしておく。このため、何れかの情報コード読取装置に不良が発生した際にも、予備の情報コード読取装置が、ユーザ設定情報に基づく操作が可能になっているので、情報コード読取装置の性能劣化による作業効率の低下、障害発生時に情報コード読取装置の交換による作業中断を防ぐことができる。
【００２９】
また、読み取りが困難になった情報コード読取装置１０は、当該情報コード読取装置１０の液晶表示器４６に、図７（Ａ）に示すように交換を促す表示を行う。このため、使用者が使用を開始する以前に、情報コード読取装置の不良を知らせることができる。
【００３０】
上述した検査処理について、まず、検査用バーコード８５の読取検査を図５のフローチャートを参照して説明する。図５中で、左側に情報コード読取装置１０における処理を、右側に端末管理装置６０における処理を示している。
情報コード読取装置１０は、検査回数Ｎとして１０回を設定し（Ｓ１２）、クレードル７０に置かれるアイドル状態に待機する（Ｓ１４）。ここで、当該情報コード読取装置１０がクレードル７０に載置されると（Ｓ１４：Ｙｅｓ）、検査用バーコード８５の読取を行う（Ｓ１６）。そして、検査回数Ｎが０になったか、即ち、検査用バーコード８５を１０回読み取ったかを判断する（Ｓ１８）。検査用バーコード８５を１０回読み取る前は（Ｓ１８：Ｎｏ）、Ｓ２０を経てＳ１４に戻り検査用バーコード８５の読取を繰り返す。検査用バーコード８５を１０回読み取ると（Ｓ１８：Ｙｅｓ）、端末管理装置６０へ読取結果を送信する（Ｓ２２）。図２、図３を参照して上述したように、検査用バーコード８５の上には、情報コード読取装置１０で撮像されるバーコード画像に歪みを生じさせる光学的フィルタ８４が設けられている。このため、擬似的に離れた位置からであって、且つ、条件の悪い（例えば、斜め方向からの読取）状態でバーコードの読取を行っているのと同様な検査を行い得る。
【００３１】
図５中の右側のフローチャートに示す、端末管理装置６０側では、読取結果が送られると（Ｓ４２：Ｙｅｓ）、検査用バーコード８５のデコード結果から成る判断基準データを記憶媒体６４から読み出し（Ｓ４４）、該判断基準データと読取結果とを比較して、読み取りにエラーが生じているかをチェックする（Ｓ４６）。そして、エラーが発生していない場合には（Ｓ４８：Ｙｅｓ）、検査終了指示を送信する（Ｓ５０）。
【００３２】
端末管理装置６０側から検査終了指示が送信されると、図５中の左側のフローチャートに示す、情報コード読取装置１０側で、Ｓ２４での指示有りの判断がＹｅｓとなり、指示を受信し（Ｓ２６）、メモリ３５に検査履歴を保存する（Ｓ２８）。ここでは、検査終了指示であるため、Ｓ３０の判断がＹｅｓとなり、検査処理を終了する。
【００３３】
一方、上述した端末管理装置６０側でのＳ４８の異常なしの判断で、異常ありと判断された場合には（Ｓ４８：Ｎｏ）、データ転送指示を送信する（Ｓ５２）。この際に、代替機１０Ｂを合わせて知らせ、代替機の表示を行わせる。
【００３４】
端末管理装置６０側からデータ転送指示が送信されると、図５中の左側のフローチャートに示す、情報コード読取装置１０側で、Ｓ２４での指示有りの判断がＹｅｓとなり、指示を受信し（Ｓ２６）、メモリ３５に検査履歴を保存する（Ｓ２８）。ここでは、データ転送指示であるため、Ｓ３０での検査終了指示かの判断がＮｏとなり、保持しているデータ、使用者により設定されたユーザ設定情報のデータを端末管理装置６０側に送信し（Ｓ３２）、図７（Ａ）に示すように、液晶表示器４６にバーコードの読取不良であることを示し予備機（１０Ｂ）への交換を促す表示を行い（Ｓ３４）、処理を終了する。これにより、使用者は情報コード読取装置の使用を開始する以前に、不良を知ると共に、代替機を知ることができる。
【００３５】
情報コード読取装置１０側からユーザ設定情報のデータが送信されると、図５中の右側のフローチャートに示す、端末管理装置６０側で、Ｓ５４でのデータ転送有りの判断がＹｅｓとなり、図１中に示す予備用の情報コード読取装置１０Ｂに対して読取不良の生じた情報コード読取装置１０と同じアプリケーションプログラムと共に、該情報コード読取装置１０から送られた保持データ、ユーザ設定情報のデータを送信する（Ｓ５６、Ｓ５７：Ｙｅｓ）。これにより、該予備用の情報コード読取装置１０Ｂにて、読取不良の生じた情報コード読取装置１０と同じ操作（例えばキー割付）ができるようになる。そして、図１中に示すモニタ６１に読取不良の情報コード読取装置を番号（例えば３番機）で特定し予備用の情報コード読取装置１０Ｂへの交換指示の表示を行う（Ｓ５８）。予備用の情報コード読取装置１０Ｂから交換された旨の報告がなされると（Ｓ６０：Ｙｅｓ）、処理を終了する。
【００３６】
検査用バーコード（光学的情報コード）の読取検査に続き、検査用ＲＦＩＤタグ８７の読取検査を行う。この処理について、図６のフローチャートを参照して説明する。
情報コード読取装置１０は、検査回数Ｎとして１０回を設定し（Ｓ１２）、クレードル７０に置かれるアイドル状態に待機する（Ｓ１４）。ここで、当該情報コード読取装置１０がクレードル７０に載置されると（Ｓ１４：Ｙｅｓ）、検査用ＲＦＩＤタグ８７への書込み、読み取りを行う（Ｓ１５、Ｓ１６）。そして、検査用ＲＦＩＤタグ８７を１０回書込み、読み取ると（Ｓ１８：Ｙｅｓ）、端末管理装置６０へ読取結果を送信する（Ｓ２２）。図２、図３を参照して上述したように、該検査用ＲＦＩＤタグ８７上には、検査用ＲＦＩＤタグ８７と情報コード読取装置１０とで用いられる周波数の電波を減衰させる電磁的フィルタ８６が設けられているため、電波が減衰し、擬似的に離れた距離の置かれたＲＦＩＤタグに対して書込、読取を行っていると同じ状態での検査が行われることになる。
【００３７】
図６中の右側のフローチャートに示す、端末管理装置６０側では、読取結果が送られると（Ｓ４２：Ｙｅｓ）、検査用ＲＦＩＤタグ８７の判断基準データを記憶媒体６４から読み出し（Ｓ４４）、該判断基準データと読取結果とを比較して、書込、読取にエラーが生じているかをチェックする（Ｓ４６）。そして、エラーが発生していない場合には（Ｓ４８：Ｙｅｓ）、検査終了指示を送信する（Ｓ５０）。
【００３８】
端末管理装置６０側から検査終了指示が送信されると、図６中の左側のフローチャートに示す情報コード読取装置１０側で、Ｓ２４での指示有りの判断がＹｅｓとなり、指示を受信し（Ｓ２６）、メモリ３５に検査履歴を保存する（Ｓ２８）。そして、検査処理を終了する。
【００３９】
一方、上述した端末管理装置６０側でのＳ４８の異常なしの判断で、異常ありと判断された場合には（Ｓ４８：Ｎｏ）、データ転送指示を送信する（Ｓ５２）。
【００４０】
端末管理装置６０側からデータ転送指示が送信されると、図６中の左側のフローチャートに示す、情報コード読取装置１０側で、Ｓ２４での指示有りの判断がＹｅｓとなり、指示を受信し（Ｓ２６）、メモリ３５に検査履歴を保存する（Ｓ２８）。ここでは、データ転送指示検査終了指示であるため、Ｓ３０での検査終了指示かの判断がＮｏとなり、使用者により設定されたユーザ設定情報のデータを端末管理装置６０側に送信し（Ｓ３２）、図７（Ｂ）に示すように、液晶表示器４６にＲＦタグの読取不良であることを示し予備機（１０Ｂ）への交換を促す表示を行い（Ｓ３４）、処理を終了する。これにより、使用者は情報コード読取装置の使用を開始する以前に、不良を知ると共に、代替機を知ることができる。なお、不良状態を液晶表示器４６に表示するのと併せ、ブザー等で警報することも可能である。
【００４１】
情報コード読取装置１０側からユーザ設定情報のデータが送信されると、図６中の右側のフローチャートに示す、端末管理装置６０側で、Ｓ５４でのデータ転送有りの判断がＹｅｓとなり、図１中に示す予備用の情報コード読取装置１０Ｂに対して読取不良の生じた情報コード読取装置１０と同じアプリケーションプログラムと共に、該情報コード読取装置１０から送られたユーザ設定情報のデータを送信する（Ｓ５６、Ｓ５７：Ｙｅｓ）。これにより、該予備用の情報コード読取装置１０Ｂにて、読取不良の生じた情報コード読取装置１０と同じ操作（例えばキー割付）ができるようになる。そして、図８に示すようにモニタ６１に交換指示（不良機の特定及び予備機の使用推奨）の表示を行う（Ｓ５８）。予備用の情報コード読取装置１０Ｂから交換された旨の報告がなされると（Ｓ６０：Ｙｅｓ）、処理を終了する。
【００４２】
第１実施形態の情報コード読取装置管理システムで、クレードル７０の検査用バーコード８５上に該光学情報の読み取り画像に歪みを生じさせる光学的フィルタ８４を配置している。このため、情報コード読取装置の光学系の輝度低下（受光センサ２３の感度低下、照明用発光ダイオード２１の輝度低下等）、結像レンズ２７の焦点ずれ等により、読取が不能に成る前の読取困難になった時点で、情報コード読取装置を不良と判断することができ、情報コード読取装置の性能劣化による作業効率の低下を防ぐことができる。
【００４３】
第１実施形態の情報コード読取装置管理システムで、クレードル７０の検査用ＲＦＩＤタグ８７上に電波を減衰させる電磁的フィルタ８６が配置されている。このため、情報コード読取装置の送信回路５４の送信出力低下、受信回路５２の受信感度低下等により、読取が不能に成る前の読取困難になった時点で、情報コード読取装置を不良と判断することができ、情報コード読取装置の性能劣化による作業効率の低下を防ぐことができる。
【００４４】
第１実施形態の情報コード読取装置管理システムで、端末管理装置６０は、いずれかの情報コード読取装置が不良の場合に、不良の情報コード読取装置をモニタ６１で報知する。これと共に、図７を参照して上述したように情報コード読取装置１０の液晶表示器４６に不良の表示を行う。このため、使用者が使用を開始する以前に、情報コード読取装置の不良を知らせることができる。
【００４５】
[第２実施形態]
引き続き、本発明の第２実施形態に係る情報コード読取装置管理システムについて説明する。情報コード読取装置と端末管理装置６０との関係は、図１を参照して上述した第１実施形態と同様であるため説明を省略する。
図９は、第２実施形態に係るクレードルに情報コード読取装置を載置した状態を示す説明図である。図２を参照して上述した検査装置８０には、光学的フィルタ８４、検査用バーコード８５、電磁的フィルタ８６及び検査用ＲＦＩＤタグ８７が設けられた。これに対して、第２実施形態では、検査装置８０に光学的フィルタ８４、検査用バーコード８５が設けられ、情報コード読取装置１０は、バーコードの読取検査のみ行う。当該処理は、図５を参照して上述した第１実施形態でのバーコードの読取検査と同様であるため、説明を省略する。
【００４６】
[第３実施形態]
本発明の第３実施形態に係る情報コード読取装置管理システムについて説明する。情報コード読取装置と端末管理装置６０との関係は、図１を参照して上述した第１実施形態と同様であるため説明を省略する。
図１０は、第３実施形態に係るクレードルに情報コード読取装置を載置した状態を示す説明図である。図２を参照して上述した検査装置８０には、光学的フィルタ８４、検査用バーコード８５、電磁的フィルタ８６及び検査用ＲＦＩＤタグ８７が設けられた。これに対して、第３実施形態では、検査装置８０に電磁的フィルタ８６及び検査用ＲＦＩＤタグ８７が設けられ、情報コード読取装置１０は、検査用ＲＦＩＤタグ８７の書込・読取検査のみ行う。当該処理は、図６を参照して上述した第１実施形態での検査用ＲＦＩＤタグ８７の書込・読取検査と同様であるため、説明を省略する。
【産業上の利用可能性】
【００４７】
上述した実施形態では、光学情報の検査に、実際のバーコードを用いたが、この代わりに、本願出願人に係る特願２００７−１８５６３１号にて提案されているように、クレードル７０にモニタを取り付け、該モニタに種々のバーコード、ＱＲコード等を表示して読取検査を行うことも可能である。更に、上述した実施形態では、検査用ＲＦＩＤタグ８７の書込・読取を困難にするために、電磁的フィルタ８６を用いたが、受信感度、送信出力の低い検査用ＲＦＩＤタグを用いることで、電磁的フィルタを省略することも可能である。更に、上述した実施形態では、ユーザ設定情報を全て転送したが、端末管理装置６０又は情報コード読取装置１０への設定により、転送するユーザ設定情報を選択できるようにすることも好適である。
【図面の簡単な説明】
【００４８】
【図１】第１実施形態の情報コード読取装置管理システムの構成図である。
【図２】第１実施形態に係るクレードルに情報コード読取装置を載置した状態を示す説明図である。
【図３】図３（Ａ）はクレードルの検査装置の説明図であり、図３（Ｂ）は検査装置のバーコードの平面図である。
【図４】情報コード読取装置の構成を示すブロック図である。
【図５】第１実施形態の情報コード読取装置、端末管理装置での検査用バーコードを用いる読取検査処理のフローチャートである。
【図６】第１実施形態の情報コード読取装置、端末管理装置での検査用ＲＦＩＤタグを用いる読取処理のフローチャートである。
【図７】障害発生時の液晶表示器の表示画面の説明図である。
【図８】障害発生時のモニタの表示画面の説明図である。
【図９】第２実施形態に係るクレードルに情報コード読取装置を載置した状態を示す説明図である。
【図１０】第３実施形態に係るクレードルに情報コード読取装置を載置した状態を示す説明図である。
【符号の説明】
【００４９】
１０  情報コード読取装置
４８  通信部（通信手段）
６０  端末管理装置
６９  通信端末（通信手段）
７０  クレードル
８０  検査装置
８４  光学的フィルタ
８５  バーコード
８７  ＲＦＩＤタグ
８８  電磁的フィルタ
【図１】
2010015353.tif 000003
【図２】
2010015353.tif 000004
【図３】
2010015353.tif 000005
【図４】
2010015353.tif 000006
【図５】
2010015353.tif 000007
【図６】
2010015353.tif 000008
【図７】
2010015353.tif 000009
【図８】
2010015353.tif 000010
【図９】
2010015353.tif 000011
【図１０】
2010015353.tif 000012